(57)【要約】【課題】無線信号で指示を受ける電子装置の省電力化を図る。【解決手段】制御部、無線部、記憶部を有する電子装置であって、前記制御部は、所定起動時刻に前記無線部を起動し、前記無線部は、無線基地局にメッセージ問い合わせをし、前記電子装置宛のメッセージが存在する場合、前記無線基地局から前記メッセージを受信し、前記制御部は、前記無線部が受信した前記メッセージが消去メッセージである場合、前記記憶部に格納されるデータに対して消去処理を実行し、前記制御部は、前記無線部が受信した前記メッセージが消去メッセージでない場合、または、前記電子装置宛のメッセージが存在しない場合、前記無線部を停止する、電子装置とする。【選択図】図３
2014042185.tif 000002
【特許請求の範囲】
【請求項１】
制御部、無線部、記憶部を有する電子装置であって、
前記制御部は、所定起動時刻に前記無線部を起動し、
前記無線部は、無線基地局にメッセージ問い合わせをし、前記電子装置宛のメッセージが存在する場合、前記無線基地局から前記メッセージを受信し、
前記制御部は、前記無線部が受信した前記メッセージが消去メッセージである場合、前記記憶部に格納されるデータに対して消去処理を実行し、
前記制御部は、前記無線部が受信した前記メッセージが消去メッセージでない場合、または、前記電子装置宛のメッセージが存在しない場合、前記無線部を停止する、
電子装置。
【請求項２】
前記無線部は、前記電子装置が前記無線基地局のセルの圏内に存在するか否かを判定し、
前記制御部は、前記電子装置が前記無線基地局のセルの圏内に存在しない場合、前記無線部を停止し、次回の前記無線部の起動時刻を設定する、
請求項１に記載の電子装置。
【請求項３】
無線部、記憶部を有する電子装置が、
所定起動時刻に前記無線部を起動し、
無線基地局にメッセージ問い合わせをし、前記電子装置宛のメッセージが存在する場合、前記無線基地局から前記メッセージを受信し、
前記無線部が受信した前記メッセージが消去メッセージである場合、前記記憶部に格納されるデータに対して消去処理を実行し、
前記無線部が受信した前記メッセージが消去メッセージでない場合、または、前記電子装置宛のメッセージが存在しない場合、前記無線部を停止する、
制御方法。
【請求項４】
無線部、記憶部を有する電子装置に、
所定起動時刻に前記無線部を起動させ、
無線基地局にメッセージ問い合わせをさせ、前記電子装置宛のメッセージが存在する場合、前記無線基地局から前記メッセージを受信させ、
前記無線部が受信した前記メッセージが消去メッセージである場合、前記記憶部に格納されるデータに対して消去処理を実行させ、
前記無線部が受信した前記メッセージが消去メッセージでない場合、または、前記電子装置宛のメッセージが存在しない場合、前記無線部を停止させる、
プログラム。
【発明の詳細な説明】
【技術分野】
【０００１】
本発明は、電子装置、制御方法、及び、プログラムに関する。
【背景技術】
【０００２】
遠隔消去システムをサポートするＰＣ（Personal Computer）では、常時、消去指示メ
ッセージを受信できるよう、ＯＳ（Operating System）が立ち上がっていない状態でもＰＣ内部の無線部（無線モジュール）の電源を、常時、ＯＮ（起動状態）にすることが求められる。また、ＰＣ側では、無線部が消去指示メッセージを受信したときに発するＷＡＫＥ信号を受信するため、ＷＡＫＥ信号受信部の電源をＯＮにすることが求められる。
【先行技術文献】
【特許文献】
【０００３】
【特許文献１】特開２００８−９０８２３号公報
【発明の概要】
【発明が解決しようとする課題】
【０００４】
遠隔消去システムでは、ＯＳが立ち上がっていない状態（シャットダウン状態）でも無線部に通電するため、遠隔消去をサポートしていないＰＣと比較すると、消費電力が大きくなる。さらに、遠隔消去システムでは、ＰＣが無線基地局の圏外となる場合には、無線モジュールが無線基地局をスキャンする頻度が多くなるので、ＰＣが無線基地局の圏内となる場合に比べて、消費電力が大きくなる。
【０００５】
本件開示の技術は、無線信号で指示を受ける電子装置の省電力化を実現することを目的とする。
【課題を解決するための手段】
【０００６】
開示の技術は、上記課題を解決するために、以下の手段を採用する。
即ち、開示の態様は、
制御部、無線部、記憶部を有する電子装置であって、
前記制御部は、所定起動時刻に前記無線部を起動し、
前記無線部は、無線基地局にメッセージ問い合わせをし、前記電子装置宛のメッセージが存在する場合、前記無線基地局から前記メッセージを受信し、
前記制御部は、前記無線部が受信した前記メッセージが消去メッセージである場合、前記記憶部に格納されるデータに対して消去処理を実行し、
前記制御部は、前記無線部が受信した前記メッセージが消去メッセージでない場合、または、前記電子装置宛のメッセージが存在しない場合、前記無線部を停止する、
電子装置である。
【０００７】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。
【発明の効果】
【０００８】
開示の技術によれば、無線信号で指示を受ける電子装置の省電力化を実現できる。
【図面の簡単な説明】
【０００９】
【図１】図１は、実施形態のシステムの構成例を示す図である。
【図２】図２は、実施形態のシステムの構成例を示す図である。
【図３】図３は、実施形態のＰＣの構成例を示す図である。
【図４】図４は、ＰＣ１００の動作フローの例（１）を示す図である。
【図５】図５は、ＰＣ１００の動作フローの例（２）を示す図である。
【図６】図６は、ＰＣ１００の動作フローの例（３）を示す図である。
【図７】図７は、ＰＣ１００の無線モジュール１３０の消費電力の時間変化の例を示す図である。
【発明を実施するための形態】
【００１０】
以下、図面を参照して実施形態について説明する。実施形態の構成は例示であり、開示の構成は、開示の実施形態の具体的構成に限定されない。開示の構成の実施にあたって、実施形態に応じた具体的構成が適宜採用されてもよい。
【００１１】
〔実施形態〕
図１及び図２は、本実施形態のシステムの構成例を示す図である。本実施形態のシステムは、ＰＣ１００及び無線基地局２００を含む。ここでは、１つの無線基地局としているが、複数の無線基地局が存在してもよい。図１の例では、無線基地局２００のセルに、ＰＣ１００が存在する。このとき、ＰＣ１００は、無線基地局２００と互いに通信を行うことができる。無線基地局のセルは、無線基地局がＰＣ等の端末装置と互いに通信できるエリアである。無線基地局のセルは、他の無線基地局のセルと重なることがある。図２の例では、無線基地局２００のセルに、ＰＣ１００が存在しない。このとき、ＰＣ１００は、無線基地局２００と互いに通信を行うことができない。図１のように、ＰＣ１００がいずれかの無線基地局のセル内に存在する時、ＰＣ１００は圏内であるという。また、図２のように、ＰＣ１００がいずれの無線基地局のセル内に存在しない場合、ＰＣ１００は圏外であるという。
【００１２】
無線基地局２００は、携帯電話網の基地局であっても、無線ＬＡＮの基地局（アクセスポイント）であっても、他の無線通信網の基地局であってもよい。
【００１３】
（構成例）
図３は、本実施形態のＰＣの構成例を示す図である。図３のＰＣ（Personal Computer
）１００は、制御部１１０、無線モジュール１３０、入出力装置１４０、主記憶装置１５０、補助記憶装置１６０、電源ＳＷ（Switch）１７０、アンテナ１８０を含む。
【００１４】
ＰＣ１００は、コンピュータを搭載した電子機器を使用して実現可能である。ＰＣ１００は、携帯型ＰＣ、据置型ＰＣ、スマートフォン、携帯電話、カーナビゲーション装置のような専用または汎用のコンピュータ、あるいは、コンピュータを搭載した電子機器を使用して実現可能である。また、ＰＣ１００は、汎用のコンピュータまたはサーバマシンのような専用のコンピュータを使用して実現可能である。ＰＣ１００は、ワークステーション（ＷＳ、Work Station）、ＰＤＡ（Personal Digital Assistant）のような専用または汎用のコンピュータを使用して実現可能である。ＰＣ１００は、電子装置の一例である。
【００１５】
制御部１１０は、ＲＴＣ（Real Time Clock）部１１２、ＷＡＫＥ信号待受部１１４、
立上げ部１１６、圏内圏外問合せ部１１８、メッセージ処理部１２０、起動時刻設定部１２２、データ消去部１２４、電源ＳＷ待受部１２８を含む。制御部１１０に含まれる各部は、ハードウェアによって実現されても、ソフトウェアによって実現されてもよい。
【００１６】
制御部１１０は、コンピュータの状態管理を行う。制御部１１０は、起動状態、休止状
態、シャットダウン状態などのコンピュータ状態の遷移を行う。また、制御部１１０は、休止状態時、シャットダウン状態時には、外部からの電源ＯＮトリガを受け付ける機能を有する。制御部１１０は、起動状態時には、強制電源断トリガなどを受け付ける機能を有する。
【００１７】
制御部１１０は、プログラム実行、メモリ管理を行う。制御部１１０は、プログラムやユーザの入力に応じて、各種演算、計算、画像処理、ブラウザ表示などの処理を行う。また、制御部１１０は、プログラム内容やデータの主記憶装置１５０への展開を行う。
【００１８】
制御部１１０は、キーボードやポインティングデバイス等の各種入力装置からの入力受付処理を行う。制御部１１０は、ディスプレイ、プリンタ等の出力装置に、コンピュータの演算結果を出力する。制御部１１０は、プログラムやユーザ操作に応じて、補助記憶装置１６０へのデータ書き込み、又は、補助記憶装置１６０からのデータの読み込みを行う。制御部１１０は、各モジュールを通じて、他のコンピュータや通信局とデータのやり取りを行う。
【００１９】
ＲＴＣ部１１２は、コンピュータの時計であり、コンピュータの電源がＯＦＦ状態でも、現在時刻を刻む。ＲＴＣ部１１２は、現在時刻が所定の起動時刻に達したら、立上げ部１１６に対して、ＰＣ１００を起動することを指示する。
【００２０】
ＷＡＫＥ信号待受部１１４は、無線モジュール１３０のＷＡＫＥ信号発信部１３８が送信するＷＡＫＥ信号を待ち受ける。ＷＡＫＥ信号待受部１１４は、ＷＡＫＥ信号を受信すると、立上げ部１１６に対し、ＰＣ１００を起動することを指示する。
【００２１】
立上げ部１１６は、ＰＣ１００を起動する。立上げ部１１６は、入出力装置１４０、主記憶装置１５０、補助記憶装置１６０、無線モジュール１３０を立ち上げ、ＰＣ１００を起動状態にする。立上げ部１１６は、ユーザの操作等に基づくソフトウェアの指示等により、入出力装置１４０、主記憶装置１５０、補助記憶装置１６０、無線モジュール１３０をＯＦＦ状態（シャットダウン状態）にする。
【００２２】
圏内圏外問合せ部１１８は、無線モジュール１３０のＭＰＵ１３６に対し、ＰＣ１００が無線基地局の圏内に存在するか、圏外に存在するかを問い合わせる。
【００２３】
メッセージ処理部１２０は、無線モジュール１３０のＭＰＵ１３６に対し、無線モジュール１３０が無線基地局からメッセージを受信したか否かを問い合わせる。メッセージ処理部１２０は、無線モジュール１３０がメッセージを受信していた場合、当該メッセージをダウンロードする。メッセージは、例えば、ＳＭＳ（Short Message Service）による
メッセージである。
【００２４】
起動時刻設定部１２２は、次にＰＣ１００を起動する時刻を設定する。起動時刻設定部１２２は、次に起動する時刻を設定すると、立上げ部１１６に対し、ＰＣ１００をＯＦＦ状態にすることを指示する。
【００２５】
データ消去部１２４は、指示に従い、補助記憶装置１６０に対して、消去処理を行う。データ消去部１２４は、消去処理として、補助記憶装置１６０に格納されるすべてのデータを消去する。また、データ消去部１２４は、消去処理として、暗号化された補助記憶装置１６０のデータを復号化するための解凍鍵を削除してもよい。
【００２６】
電源ＳＷ待受部１２８は、電源ＳＷ１７０から電源ＳＷの状態の通知を待ち受ける。電源ＳＷ待受部１２８は、電源ＳＷ１７０の状態により、ＰＣ１００の電源をＯＮ又はＯＦ
Ｆに設定する。電源ＳＷ待受部１２８は、電源ＳＷ１７０の状態がＯＮであることを通知された場合、立上げ部１１６に、ＰＣ１００を立ち上げることを指示する。
【００２７】
制御部１１０における各処理部は、任意の１つの処理部が複数の処理部として動作してもよい。また、制御部１１０における各処理部は、任意の２以上の処理部が１つの処理部として動作してもよい。さらに、制御部１１０における各処理部は、２以上の処理部の一部または全部が１つの処理部として動作してもよい。
【００２８】
無線モジュール１３０は、無線回路部１３２、信号処理部１３４、ＭＰＵ（Micro Processing Unit）１３６、不揮発性記憶装置１３７、ＷＡＫＥ信号発信部１３８を含む。
【００２９】
無線回路部１３２は、アンテナ１８０に給電する。無線回路部１３２は、受信信号に対して復調等の処理を行う。無線回路部１３２は、送信信号に対し、変調等の処理を行う。
【００３０】
信号処理部１３４は、ディジタル信号をアナログ送信信号に変換する。信号処理部１３４は、アナログ受信信号をディジタル信号に変換する。
【００３１】
ＭＰＵ１３６は、無線モジュール１３０を制御する。ＭＰＵ１３６は、受信したメッセージを不揮発性記憶装置１３７に格納する。
【００３２】
不揮発性記憶装置１３７は、無線基地局２００から受信されたメッセージを格納する。不揮発性記憶装置１３７に格納されたメッセージは、制御部１１０からの要求により読み出される。
【００３３】
ＷＡＫＥ信号発信部１３８は、制御部１１０のＷＡＫＥ信号待受部１１４に対して、ＷＡＫＥ信号を送信する。
【００３４】
入出力装置１４０は、キーボードやポインティングデバイスのような入力装置や、ディスプレイ装置やプリンタのような出力装置を含む。また、入力装置は、カメラのような映像や画像の入力装置や、マイクロフォンのような音声の入力装置を含むことができる。また、出力装置は、スピーカのような音声の出力装置を含むことができる。
【００３５】
主記憶装置１５０は、例えば、ＲＡＭ（Random Access Memory）やＲＯＭ（Read Only Memory）を含む。主記憶装置１５０では、制御部１１０で使用されるプログラムやデータが展開される。
【００３６】
補助記憶装置１６０は、プログラム、及び、プログラムで使用されるデータ等が格納される。補助記憶装置１６０は、例えば、ＥＰＲＯＭ（Erasable Programmable ROM）、ハ
ードディスクドライブ（ＨＤＤ、Hard Disk Drive）、ソリッドステートドライブ（ＳＳ
Ｄ、Solid State Drive）である。また、補助記憶装置１６０は、リムーバブルメディア
、即ち可搬記録媒体を含むことができる。リムーバブルメディアは、例えば、ＵＳＢ（Universal Serial Bus）メモリ、あるいは、ＣＤ（Compact Disk）やＤＶＤ（Digital Versatile Disk）のようなディスク記録媒体である。
【００３７】
電源ＳＷ１７０は、ユーザにより操作されるハードウェアスイッチである。電源ＳＷ１７０は、ユーザによる操作により、ＰＣ１００の電源をＯＮ又はＯＦＦに設定される。電源ＳＷ１７０の状態は、制御部１１０の電源ＳＷ待受部１２８に通知される。
【００３８】
アンテナ１８０は、無線基地局との間で、無線信号を送受信する。
ＰＣ１００において、動作しているユニットが少ないほど、消費電力は低くなる。
【００３９】
コンピュータ、すなわち、情報処理装置は、プロセッサ、主記憶装置、及び、補助記憶装置や、通信インタフェース装置のような周辺装置とのインタフェース装置を含む。主記憶装置及び補助記憶装置は、コンピュータ読み取り可能な記録媒体である。
【００４０】
コンピュータは、プロセッサが記録媒体に記憶されたプログラムを主記憶装置の作業領域にロードして実行し、プログラムの実行を通じて周辺機器が制御されることによって、所定の目的に合致した機能を実現することができる。プロセッサは、例えば、ＣＰＵ（Central Processing Unit）やＤＳＰ（Digital Signal Processor）である。
【００４１】
ＰＣ１００を実現するコンピュータは、プロセッサが補助記憶装置に記憶されているプログラムを主記憶装置にロードして実行することによって、制御部１１０の各ユニットとしての機能を実現する。
【００４２】
制御部１１０の各ユニットは、ハードウェアの構成要素、ソフトウェアの構成要素、又は、これらの組み合わせとして、それぞれ実現され得る。
【００４３】
ハードウェアの構成要素は、ハードウェア回路であり、例えば、ＦＰＧＡ（Field Programmable Gate Array）、特定用途向け集積回路（ＡＳＩＣ、Application Specific Integrated Circuit）、ゲートアレイ、論理ゲートの組み合わせ、アナログ回路等がある。
【００４４】
ソフトウェアの構成要素は、ソフトウェアとして所定の処理を実現する部品である。ソフトウェアの構成要素は、ソフトウェアを実現するプログラム言語等を限定する概念ではない。
【００４５】
プログラムを記述するステップは、記載された順序に沿って時系列的に行われる処理はもちろん、必ずしも時系列的に処理されなくても、並列的または個別に実行される処理を含む。
【００４６】
ここでは、消去メッセージによるデータの消去指示を、無線基地局（もしくは、無線基地局の上位装置）等からの指示の例として挙げているが、無線基地局等からの指示は、データの消去指示以外の指示であってもよい。
【００４７】
（動作例）
本実施形態のＰＣ１００の動作例を説明する。初期状態として、図３のＰＣ１００のすべての構成要素が起動しているとする。
【００４８】
図４、図５、図６は、ＰＣ１００の動作フローの例を示す図である。図４の「Ａ１」、「Ａ２」、「Ａ３」、「Ａ４」、「Ａ５」は、それぞれ、図５の「Ａ１」、「Ａ２」、「Ａ３」、「Ａ４」、「Ａ５」と接続する。図５の「Ｂ１」、「Ｂ２」、「Ｂ３」、「Ｂ４」は、それぞれ、図６の「Ｂ１」、「Ｂ２」、「Ｂ３」、「Ｂ４」と接続する。
【００４９】
ＰＣ１００の制御部１１０の立上げ部１１６は、ユーザの操作等に基づくソフトウェアからの指示等によるシャットダウンの指示があったか否かを判定する（Ｓ１００１）。立上げ部１１６は、シャットダウンの指示があるまで待機する（Ｓ１００１；ＮＯ）。シャットダウンの指示があった場合（Ｓ１００１；ＹＥＳ）、立上げ部１１６は、起動時刻設定部１２２に通知する。
【００５０】
ステップＳ１００２では、起動時刻設定部１２２は、次に起動する時刻を設定する。次に起動する時刻は、現在時刻から所定時間後であってもよく、あらかじめ決められた１以
上の時刻のうち一番近い時刻であってもよい。現在時刻は、ＲＴＣ部１１２がカウントする。
【００５１】
ステップＳ１００３では、制御部１１０の立上げ部１１６は、ＰＣ１００をシャットダウン状態（ＯＦＦ状態）にする。ここでは、立上げ部１１６は、無線モジュール１３０、入出力装置１４０、主記憶装置１５０、補助記憶装置１６０をシャットダウン状態（ＯＦＦ状態）にする。また、立上げ部１１６は、制御部１１０のＲＴＣ部１１２、電源ＳＷ待受部１２８以外の処理部をＯＦＦ状態にして、立上げ部１１６の処理を終了する。ここでは、制御部１１０のＲＴＣ部１１２、電源ＳＷ待受部１２８以外は、ＯＦＦ状態である。ＯＦＦ状態では、電力はほとんど消費されない。
【００５２】
電源ＳＷ待受部１２８は、電源ＳＷ１７０から電源ＳＷの状態の通知を待ち受ける（Ｓ１００４）。電源ＳＷ１７０は、ユーザの操作によりＯＮ状態にされる。電源ＳＷ待受部１２８は、電源ＳＷ１７０の状態がＯＮ状態であることを通知された場合（Ｓ１００４；ＹＥＳ）、立上げ部１１６を起動し、立上げ部１１６にＰＣ１００を立ち上げることを指示する。
【００５３】
ステップＳ１００５では、立上げ部１１６は、ＯＦＦ状態である無線モジュール１３０、入出力装置１４０、主記憶装置１５０、補助記憶装置１６０を起動する。また、立上げ部１１６は、制御部１１０のＯＦＦ状態の各処理部を起動する。また、起動時刻設定部１２２は、シャットダウンの際に設定された、起動時刻の設定を解除する（Ｓ１００６）。これにより、当該動作フローによる動作は終了し、ＰＣ１００は、通常の動作に移行する。
【００５４】
電源ＳＷ１７０の状態がＯＮ状態であることを通知されない場合（Ｓ１００４；ＮＯ）、ＲＴＣ部１１２は、現在時刻が起動時刻設定部１２２が設定した起動時刻に到達したか否かを判定する（Ｓ１００７）。現在時刻が起動時刻設定部１２２が設定した時刻に到達していない場合（Ｓ１００７；ＮＯ）、処理がステップＳ１００４に戻る。現在時刻が起動時刻設定部１２２が設定した時刻に到達した場合（Ｓ１００７；ＹＥＳ）、ＲＴＣ部１１２は立上げ部１１６を起動し、処理がステップＳ１００８に進む。
【００５５】
ステップＳ１００８では、立上げ部１１６は、ＯＦＦ状態である無線モジュール１３０、入出力装置１４０、主記憶装置１５０、補助記憶装置１６０を起動する。また、立上げ部１１６は、制御部１１０のＯＦＦ状態の各処理部を起動する。
【００５６】
制御部１１０の圏内圏外問合せ部１１８は、ＰＣ１００が無線基地局２００のセルの圏内に存在するか圏外に存在するかを確認する（Ｓ１００９）。圏内圏外問合せ部１１８は、無線モジュール１３０のＭＰＵ１３６に対し、無線基地局２００へのアタッチ状況の問い合わせを行うように指示する。アタッチとは、携帯端末が無線基地局を捕捉し、接続可能になっている状態をいう。無線モジュール１３０のＭＰＵ１３６は、信号処理部１３４、無線回路部１３２、アンテナ１８０を経て、無線基地局２００とアタッチしているか否かを確認する。アタッチしているか否かは、例えば、ＰＣ１００と無線基地局２００との間で、信号を送受信できるか否かで確認できる。ＭＰＵ１３６は、アタッチの有無の情報を、制御部１１０の圏内圏外問合せ部１１８に送信する。
【００５７】
圏内圏外問合せ部１１８は、ＭＰＵ１３６からの情報に基づいて、ＰＣ１００が無線基地局２００のセルの圏内に存在するか圏外に存在するかを判定する（Ｓ１０１０）。ＰＣ１００が無線基地局２００のセルの圏外に存在すると判定した場合（Ｓ１０１０；ＮＯ）、処理がステップＳ１００２に戻る。
【００５８】
ＰＣ１００が無線基地局２００のセルの圏内に存在すると判定した場合（Ｓ１０１０；ＹＥＳ）、圏内圏外問合せ部１１８は、メッセージ処理部１２０に圏内であることを通知する。通知を受けたメッセージ処理部１２０は、無線モジュール１３０のＭＰＵ１３６に対し、メッセージ問い合わせを行うことを指示する（Ｓ１０１１）。指示を受けたＭＰＵ１３６は、信号処理部１３４、無線回路部１３２、アンテナ１８０を経て、無線基地局２００に、ＰＣ１００宛のメッセージの有無の問い合わせを行う。無線基地局２００（もしくは、無線基地局２００の上位装置）は、ＰＣ１００宛のメッセージを有してる場合、ＰＣ１００に対して、当該メッセージを送信する。無線基地局２００側から送信されたメッセージは、アンテナ１８０、無線回路部１３２、信号処理部１３４を通じて、ＭＰＵ１３６で受信される。ＭＰＵ１３６は、受信したメッセージを不揮発性記憶装置１３７に格納する。メッセージ処理部１２０は、ＭＰＵ１３６に対し、ＭＰＵ１３６が受信したメッセージを要求する。ＭＰＵ１３６は、不揮発性記憶装置１３７から受信したメッセージを読み出して、メッセージ処理部１２０に送信する。受信したメッセージが複数ある場合、ＭＰＵ１３６はすべての受信したメッセージをメッセージ処理部１２０に送信する。
【００５９】
メッセージ処理部１２０は、ＭＰＵ１３６から受信したメッセージの中に、消去メッセージがあるか否かを判定する（Ｓ１０１２）。消去メッセージは、ＰＣ１００の補助記憶装置１６０に格納されるデータを消去することを指示するメッセージである。
【００６０】
ＭＰＵ１３６から受信したメッセージの中に消去メッセージが含まれている場合（Ｓ１０１２；ＹＥＳ）、メッセージ処理部１２０は、データ消去部１２４に対し、補助記憶装置１６０に格納されるデータを消去することを指示する。メッセージ処理部１２０から指示を受けたデータ消去部１２４は、補助記憶装置１６０に対して、消去処理を行う（Ｓ１０１３）。データ消去部１２４は、消去処理として、補助記憶装置１６０に格納されるすべてのデータを消去する。また、データ消去部１２４は、消去処理として、暗号化された補助記憶装置１６０のデータを復号化するための解凍鍵を削除してもよい。データ消去部１２４による処理により、補助記憶装置１６０に格納されるデータの読み取りが不能になる。
【００６１】
データ消去部１２４によるデータ消去が終了すると、立上げ部１１６は、ＰＣ１００をシャットダウン状態にする（Ｓ１０１４）。ここでは、立上げ部１１６は、無線モジュール１３０、入出力装置１４０、主記憶装置１５０、補助記憶装置１６０をシャットダウン状態にする。また、立上げ部１１６は、制御部１１０のＲＴＣ部１１２、ＷＡＫＥ信号待受部１１４、電源ＳＷ待受部１２８以外の処理部をＯＦＦ状態にして、処理を終了する。起動状態のままバッテリのエネルギーをすべて消費すると、ＰＣ１００にダメージを与える恐れがある。シャットダウン状態にすることで、ＰＣ１００に対するダメージを抑制することができる。
【００６２】
ＭＰＵ１３６から受信したメッセージの中に消去メッセージが含まれていない場合（Ｓ１０１２；ＮＯ）、メッセージ処理部１２０は、起動時刻設定部１２２に起動時刻を設定することを指示する。起動時刻設定部１２２は、次に起動する時刻を設定する（Ｓ１０１５）。このステップＳ１０１５の動作は、ステップＳ１００２の動作と同様である。
【００６３】
立上げ部１１６は、ＰＣ１００の設定が、「バッテリ優先モード」か、「消去メッセージ受信優先モード」かを判定する（Ｓ１０１６）。「バッテリ優先モード」、または、「消去メッセージ受信優先モード」の設定の情報は、あらかじめ、主記憶装置１５０、または、補助記憶装置１６０に格納されている。立上げ部１１６は、主記憶装置１５０、または、補助記憶装置１６０に格納されている情報により、ＰＣ１００の設定が、「バッテリ優先モード」か、「消去メッセージ受信優先モード」かを判断できる。
【００６４】
「バッテリ優先モード」は、できるだけ消費電力を低くして、バッテリを長時間持たせるモードである。「消去メッセージ受信優先モード」は、消去メッセージを遅滞なく受信できるようにするモードである。
【００６５】
ＰＣ１００の設定が「バッテリ優先モード」である場合（Ｓ１０１６；ＹＥＳ）、処理がステップＳ１００３に戻る。
【００６６】
ＰＣ１００の設定が「消去メッセージ受信優先モード」である場合（Ｓ１０１６；ＮＯ）、立上げ部１１６は、ＰＣ１００をシャットダウン状態（ＯＦＦ状態）にする。ここでは、立上げ部１１６は、入出力装置１４０、主記憶装置１５０、補助記憶装置１６０をシャットダウン状態にする。ここでは、無線モジュール１３０は、起動状態（ＯＮ状態）である。また、立上げ部１１６は、制御部１１０のＲＴＣ部１１２、ＷＡＫＥ信号待受部１１４、電源ＳＷ待受部１２８以外の処理部をＯＦＦ状態にして、立上げ部１１６の処理を終了する。
【００６７】
ステップＳ１０１８では、電源ＳＷ待受部１２８は、電源ＳＷ１７０から電源ＳＷの状態の通知を待ち受ける。電源ＳＷ１７０は、ユーザの操作によりＯＮ状態にされる。電源ＳＷ１７０の状態がＯＮ状態であることを通知された場合（Ｓ１０１８；ＹＥＳ）、立上げ部１１６を起動し、電源ＳＷ待受部１２８は、立上げ部１１６にＰＣ１００を立ち上げることを指示し、処理がステップＳ１００５に進む。
【００６８】
電源ＳＷ１７０の状態がＯＮ状態であることを通知されない場合（Ｓ１０１８；ＮＯ）、ＲＴＣ部１１２は、現在時刻が起動時刻設定部１２２が設定した起動時刻に到達したか否かを判定する（Ｓ１０１９）。現在時刻が起動時刻設定部１２２が設定した時刻に到達した場合（Ｓ１０１９；ＹＥＳ）、ＲＴＣ部１１２は立上げ部１１６を起動し、処理がステップＳ１００８に戻る。現在時刻が起動時刻設定部１２２が設定した時刻に到達していない場合（Ｓ１０１９；ＮＯ）、処理がステップＳ１０２０に進む。
【００６９】
ステップＳ１０１７で無線モジュール１３０はシャットダウン状態にされていないため、ステップＳ１０２０でも、無線モジュール１３０は起動状態のままである。また、無線モジュール１３０が起動状態のままであるため、ＰＣ１００が無線基地局２００の圏内に存在していれば、無線基地局２００との接続状態も維持されている。無線基地局２００は、ＰＣ１００と接続状態である場合、ＰＣ１００宛のメッセージを受信すると、ＰＣ１００に当該メッセージを送信する。したがって、無線モジュール１３０は、メッセージを受信しうる。無線モジュール１３０のＭＰＵ１３６は、無線基地局２００からメッセージが送信されると、アンテナ１８０、無線回路部１３２、信号処理部１３４を経て、メッセージを受信する。ＭＰＵ１３６は、受信したメッセージを不揮発性記憶装置１３７に格納する。
【００７０】
ステップＳ１０２０では、ＭＰＵ１３６は、メッセージを受信したか否かを確認する。ＭＰＵ１３６がメッセージを受信していない場合（Ｓ１０２０；ＮＯ）、処理がステップＳ１０１８に戻る。
【００７１】
ＭＰＵ１３６がメッセージを受信した場合（Ｓ１０２０；ＹＥＳ）、無線モジュール１３０のＷＡＫＥ信号発信部１３８は、制御部１１０のＷＡＫＥ信号待受部１１４にＷＡＫＥ信号を送信する（Ｓ１０２１）。ＷＡＫＥ信号待受部１１４は、ＷＡＫＥ信号を受信すると、立上げ部１１６を起動する。
【００７２】
ステップＳ１０２２では、立上げ部１１６は、ＯＦＦ状態である入出力装置１４０、主記憶装置１５０、補助記憶装置１６０を起動する。また、立上げ部１１６は、制御部１１
０のＯＦＦ状態の各処理部を起動する。
【００７３】
メッセージ処理部１２０は、ＭＰＵ１３６に対し、ＭＰＵ１３６が受信したメッセージを要求する。ＭＰＵ１３６は、不揮発性記憶装置１３７から受信したメッセージを読み出して、メッセージ処理部１２０に送信する。受信したメッセージが複数ある場合、ＭＰＵ１３６はすべての受信したメッセージをメッセージ処理部１２０に送信する。
【００７４】
ＭＰＵ１３６から受信したメッセージの中に、消去メッセージがあるか否かを判定する（Ｓ１０２３）。ＭＰＵ１３６から受信したメッセージの中に消去メッセージが含まれている場合（Ｓ１０２３；ＹＥＳ）、メッセージ処理部１２０は、データ消去部１２４に対し、補助記憶装置１６０に格納されるデータを消去することを指示する。処理が、ステップＳ１０１３に進む。
【００７５】
ＭＰＵ１３６から受信したメッセージの中に消去メッセージが含まれていない場合（Ｓ１０２３；ＮＯ）、処理がステップＳ１０１７に戻る。
【００７６】
ＰＣ１００は、「消去メッセージ受信優先モード」を採用せずに、ステップＳ１０１７からステップＳ１０２３までの処理を行わないようにしてもよい。即ち、ステップＳ１０１６で、ＹＥＳのみ選択されるようにしてもよい。このとき、ＰＣ１００は、制御部１１０のＷＡＫＥ信号待受部１１４及び無線モジュール１３０のＷＡＫＥ信号発信部１３８を有しなくてもよい。制御部１１０のＷＡＫＥ信号待受部１１４及び無線モジュール１３０のＷＡＫＥ信号発信部１３８を有さないことで、ＰＣ１００の構成は、簡素化される。
【００７７】
（実施形態の作用、効果）
外部からメッセージによる指示を受け得るＰＣ１００は、ユーザ等の操作によるシャットダウン後、無線モジュール１３０をシャットダウン状態にする。ＰＣ１００は、起動時刻になると、無線モジュール１３０を含むＰＣ１００全体を起動状態にし、無線基地局２００からメッセージを受信する。ＰＣ１００は、無線基地局２００から受信したメッセージに、消去メッセージ等の指示を含むメッセージを受信した場合、当該指示に基づく処理を実行する。また、ＰＣ１００は、消去メッセージ等の指示を含むメッセージを受信しない場合、次の起動時刻まで、ＰＣ１００をシャットダウン状態にする。ＰＣ１００は、無線モジュールをシャットダウン状態にすることで、無線モジュールが起動状態のままのシステムに比べ、無線モジュールの消費電力を低減することができる。また、無線モジュールが起動状態のままのシステムでは、端末が無線基地局のセルの圏外に存在すると、より多くの電力を消費することになる。ＰＣ１００は、無線基地局のセルの圏外に存在する場合であっても、無線モジュールをシャットダウン状態にするので、無線モジュールが起動状態のままのシステムに比べ、無線モジュールの消費電力を低減することができる。シャットダウン状態時、ＰＣ１００は、ＲＴＣ部１１２等しか動作しないため、遠隔消去機能を維持しつつ、ＰＣ１００の消費電力は低く抑えられる。
【００７８】
図７は、ＰＣ１００の無線モジュール１３０の消費電力の時間変化の例を示す図である。図７のグラフの横軸は時間であり、縦軸は無線モジュールの消費電力である。図７の例では、ユーザ操作等によるＰＣ１００のシャットダウン後、無線モジュールはシャットダウン状態となるため、無線モジュール１３０の消費電力は低くなる。ＰＣ１００は、起動時刻になると、無線モジュール１３０を起動状態にするため、消費電力は高くなる。しかし、ＰＣ１００は、ＰＣ１００が無線基地局２００の圏内に存在するか否かを判断し、無線基地局２００に対してメッセージ問い合わせをすると、次の起動時刻まで、無線モジュール１３０をシャットダウン状態にする（バッテリ優先モードの場合）。ＰＣ１００は、ユーザ操作等によるＰＣ１００のシャットダウン後、ほとんどの時間、無線モジュール１３０をシャットダウン状態にする。したがって、ＰＣ１００は、無線モジュールが起動状
態のままのシステムに比べ、無線モジュールの消費電力を低減することができる。即ち、ＰＣ１００は、ユーザ操作によるシャットダウン後の、ＰＣ１００全体の消費電力を低減することができる。また、ＰＣ１００は、起動時刻に起動してメッセージを受信することで、消去メッセージ等の指示を受けることができる。
【００７９】
〔その他〕
上述した実施形態に関し、更に以下の付記を開示する。
【００８０】
（付記１）
制御部、無線部、記憶部を有する電子装置であって、
前記制御部は、所定起動時刻に前記無線部を起動し、
前記無線部は、無線基地局にメッセージ問い合わせをし、前記電子装置宛のメッセージが存在する場合、前記無線基地局から前記メッセージを受信し、
前記制御部は、前記無線部が受信した前記メッセージが消去メッセージである場合、前記記憶部に格納されるデータに対して消去処理を実行し、
前記制御部は、前記無線部が受信した前記メッセージが消去メッセージでない場合、または、前記電子装置宛のメッセージが存在しない場合、前記無線部を停止する、
電子装置。
【００８１】
（付記２）
前記無線部は、前記電子装置が前記無線基地局のセルの圏内に存在するか否かを判定し、
前記制御部は、前記電子装置が前記無線基地局のセルの圏内に存在しない場合、前記無線部を停止し、次回の前記無線部の起動時刻を設定する、
付記１に記載の電子装置。
【００８２】
（付記３）
無線部、記憶部を有する電子装置が、
所定起動時刻に前記無線部を起動し、
無線基地局にメッセージ問い合わせをし、前記電子装置宛のメッセージが存在する場合、前記無線基地局から前記メッセージを受信し、
前記無線部が受信した前記メッセージが消去メッセージである場合、前記記憶部に格納されるデータに対して消去処理を実行し、
前記無線部が受信した前記メッセージが消去メッセージでない場合、または、前記電子装置宛のメッセージが存在しない場合、前記無線部を停止する、
制御方法。
【００８３】
（付記４）
前記電子装置が、
前記電子装置が前記無線基地局のセルの圏内に存在するか否かを判定し、
前記電子装置が前記無線基地局のセルの圏内に存在しない場合、前記無線部を停止し、次回の前記無線部の起動時刻を設定する、
付記３に記載の制御方法。
【００８４】
（付記５）
無線部、記憶部を有する電子装置に、
所定起動時刻に前記無線部を起動させ、
無線基地局にメッセージ問い合わせをさせ、前記電子装置宛のメッセージが存在する場合、前記無線基地局から前記メッセージを受信させ、
前記無線部が受信した前記メッセージが消去メッセージである場合、前記記憶部に格納
されるデータに対して消去処理を実行させ、
前記無線部が受信した前記メッセージが消去メッセージでない場合、または、前記電子装置宛のメッセージが存在しない場合、前記無線部を停止させる、
プログラム。
【００８５】
（付記６）
前記電子装置に、
前記電子装置が前記無線基地局のセルの圏内に存在するか否かを判定させ、
前記電子装置が前記無線基地局のセルの圏内に存在しない場合、前記無線部を停止させ、次回の前記無線部の起動時刻を設定させる、
付記５に記載のプログラム。
【符号の説明】
【００８６】
１００    ＰＣ
１１０      制御部
１１２        ＲＴＣ部
１１４        ＷＡＫＥ信号待受部
１１６        立上げ部
１１８        圏内圏外問合せ部
１２０        メッセージ処理部
１２２        起動時刻設定部
１２４        データ消去部
１２８        電源ＳＷ待受部
１３０      無線モジュール
１３２        無線回路部
１３４        信号処理部
１３６        ＭＰＵ
１３７        不揮発性記憶装置
１３８        ＷＡＫＥ信号発信部
１４０      入出力装置
１５０      主記憶装置
１６０      補助記憶装置
１７０      電源ＳＷ
１８０      アンテナ
２００    無線基地局
【図１】
2014042185.tif 000003
【図２】
2014042185.tif 000004
【図３】
2014042185.tif 000005
【図４】
2014042185.tif 000006
【図５】
2014042185.tif 000007
【図６】
2014042185.tif 000008
【図７】
2014042185.tif 000009